(57)【要約】本発明は、洗浄ブラシの洗浄部材となる複数の帯状部分がその側部外面上に設置される円筒状本体からなる自動車一般の自動洗浄装置の洗浄ブラシに関するものである。本発明の主たる特徴は、帯状部分またはストリップ部分が、軸方向に対して傾斜した方向に沿って円筒状本体の側面に設置されているということである。
2006508859.tif 000002
【特許請求の範囲】
【請求項１】
自動車一般の自動洗浄装置の洗浄ブラシ部分で使用するための洗浄ブラシで、前記洗浄ブラシの洗浄部材となる複数の帯状部分を側部外面上に設置した円筒状本体からなる洗浄ブラシであって、前記帯状部分は軸方向に対して傾いた方向に沿って、前記円筒状本体側面上に設置されることを特徴とする洗浄ブラシ。
【請求項２】
前記帯状部分は、縦方向に複数のスリットを入れて形成された、前記洗浄部材となる複数のストリップからなることを特徴とする、請求項１の洗浄ブラシ。
【請求項３】
傾斜された配置で設置された前記帯状部分は、前記円筒状本体の軸に平行に配置された対応する帯状部分より幅が広いことを特徴とする、先行する請求項の洗浄ブラシ。
【請求項４】
前記傾斜された帯状部分は、前記円筒状本体の軸に平行に配置された前記帯状部分より幅が広いことを特徴とする、１つまたはそれ以上の先行する請求項の洗浄ブラシ。
【請求項５】
前記ストリップは、前記傾斜された帯状部分の効果により少しずつずれて重なることによりその梱包サイズを縮小させることを特徴とする、１つまたはそれ以上の先行する請求項の洗浄ブラシ。
【請求項６】
前記帯状部分に異なる色を着色することにより形成される有色螺旋は、完全な外転サイクロイドのパターンを有することを特徴とする、１つまたはそれ以上の先行する請求項の洗浄ブラシ。
【請求項７】
自動車一般の自動洗浄装置の洗浄ブラシ部分で使用するための、１つまたはそれ以上の先行する請求項の洗浄ブラシ及び、意図された目標および目的のために実質的に広く開示されかつ図示された洗浄ブラシ。
【発明の詳細な説明】
【発明の背景】
【０００１】
本発明は、自動車一般の自動洗浄装置の洗浄ブラシ部分で使用するための洗浄ブラシに関するものである。
周知のように、自動車一般の自動洗浄装置は従来、フェルトやこれに類似の素材、または発泡プラスチック素材で作られた帯状の洗浄部材を有する円筒状本体により構成されるブラシを軸方向に多数連結させた洗浄ブラシを備えている。
図１の線図に示されるように、垂直方向、すなわち円筒状本体の軸に平行に配置された帯状部分１は、ブラシ運動方向に対して垂直である縦の非連続的な配置となる。
制御モーターの電源は振幅や数値が一定でない交流パルスであるため、そのような配置では、作業面に対して洗浄ブラシをしっかりと接触させた状態を保持するのは困難である。
接触に隙間があると、自動車内部の人にとって好ましくない騒音が生じる。
さらに、洗い残しの部分がないように、自動車の移動速度に応じて洗浄ブラシの回転数をこまめに調整する必要がある。
もう一つの欠点は、ブラシ構造は、ブラシ回転中に洗浄部材を支える中心部や管が容易に見えるほど密度が低いため、製品の作動特性に否定的に影響を及ぼすことである。
さらにもう一つの欠点は、洗浄部材と洗浄部材の間に必然的に隙間が生じるため、洗浄される表面上にブラシが触れない箇所ができてしまうことである。
さらに、従来の洗浄ブラシは梱包および輸送の問題がある。帯状部分が小さな角度に曲がると、変形してほとんど使用不可能になってしまうことがたびたびあるが、小さく曲がらない帯状部分を提供するのは不可能である。
したがって、梱包費用は必然的に非常に高くなる。
【発明の要約】
【０００２】
本発明の目的は、帯状部分をより合理的な方法で配置することにより、洗浄される自動車表面との隙間をなくし、より質の高い洗浄を可能とする、自動車一般の自動洗浄装置の洗浄ブラシ部分で使用するための洗浄ブラシを提供することである。
上述した目的の範囲内で、本発明の主たる目的は、洗浄される表面に接触する洗浄部材の数は同じに保ったまま、ブラシ中心部や管に結合される帯状部分または装置の数を減少させることが可能であるような洗浄ブラシを提供することである。
また本発明の別の目的は、洗浄帯状部分と関連する端子コードは適切に正しい位置に置かれ、ことにより洗浄ブラシの数を飛躍的に減少させ、梱包作業が容易な洗浄ブラシを提供することである。
さらに、本発明の別の目的は、設計を工夫することで作動中の信頼性および安全性が非常に高い洗浄ブラシを提供することである。
本発明の一解釈によれば、上述された目的や目標および後述する目的や目標は、前記洗浄ブラシの洗浄部材を特徴付ける帯状部分が側部外面上に多数設置された円筒状本体からなり、前記帯状部分が前記円筒状本体の側面に、軸方向に対して傾斜した向きで設置されることを特徴とする、自動車一般の自動洗浄装置の洗浄ブラシ部分で使用するための洗浄ブラシによって達成される。
【図面の簡単な説明】
【０００３】
本発明のさらなる特徴および利点は、以下の直説的であるが制限的でない添付の図面における例で図示される自動車一般の自動洗浄装置の洗浄ブラシ部分で使用するための洗浄ブラシの、好適であるが排他的でない実施例の詳細な開示からより明らかになる。
図１は、従来技術による洗浄ブラシの洗浄の動きを示す線図である。
図２は、便宜上、帯状部分を２つだけ設置した洗浄ブラシを示す概略斜視図である。
図３は、図２に示された洗浄ブラシの立面図である。
図４は、複数の洗浄ブラシを軸方向に結合することによって作成された洗浄ブラシ装置の概略立面図である。
図５は、帯状部分を示す略図である。
図６は、その梱包サイズを縮小するために設計された帯状部分の配置を示すものである。
図７は、自動車洗浄中における本発明の洗浄ブラシの動きを示す線図である。
【好適な実施例の説明】
【０００４】
上述の図面において、本発明の洗浄ブラシ１０は、本質的には従来型である円筒状本体１１の側面に、複数の帯状部分１２を設置したものである。
特に、帯状部分１２は、独立気泡フォーム素材または連続気泡フォーム素材またはフェルト素材を使用した、プレートのような部品で作成されることが望ましい。
帯状部分１２は、縦方向に多くの切り込み１３を入れてできる、ストリップ１４からなり、洗浄ブラシの洗浄部材を構成する。
本発明の主たる特徴は、円筒状本体１１の側面に設置される帯状部分が、前記円筒状本体の軸方向に対して傾いていることである。
実際には、洗浄装置の数を増やさずに洗浄ブラシの毛に当たる部分の配置をよくするために帯状部分を合理的に配置するため、帯状部分の配置または設置位置は斜めにされる。
円筒状本体１１にブラシの毛を斜めに配置することにより、帯状部分を軸に平行の方向に配置された場合よりも長くすることができる。
各々の帯状部分が設置されるシートは、円筒状本体１１の外面上に好適に傾斜した角度で、分割して設置された、円筒状本体の直径より短いＵ形状のシートであるのが望ましく、特に、図５に示されるように、ストリップ１４または毛は、各々の帯状部分に縦方向に平行なスリットまたは切込みをいれることにより形成される。
好適な傾斜で配置した場合、帯状部分は平均２５％長くなる。
この点に関しては、傾斜の多少を変更することで、帯状部分をさらに長くする可能性もある。
傾斜配置された帯状部分は、軸に平行に、つまり洗浄される自動車の運動方向に垂直に配置された帯状部分より幅が広いため、材料の量は同じで、帯状部分の数はより小さくなる。
帯状部分の数が減るため、洗浄ブラシの部品をいかなる方法で作成し、いかなる方法で本体に設置する場合にも、作成および設置に必要な労働力を削減することができる。
さらに、斜めに配置することで、遠心力により生じる放射効果にもかかわらず、帯状部分およびその先端の洗浄ブラシのストリップ、または毛の方向を斜めに定めることが可能になる。
実際には、最高回転数が１１０回転／分以下である自動車の自動洗浄装置においては、帯状部分の配置を斜めにすることで、自然な方向に落下する帯状部分の自然の傾向は最適な方法で、前記帯状部分が生じうるスペースまたは隙間を「塞ぐ」ことを可能にする。
さらに、帯状部分に異なる色を着色することによって得られる色の螺旋は、外転サイクロイド・パターンに完全に配列される。
さらに、垂直の位置に配置された洗浄ブラシ装置おいて帯状部分を斜めに配置すると、停止状態には帯状部分が自然に少しずつずれて重なるため、整然と下向きになることを可能にし、このことにより梱包された状態の製品に損害を与えずに、ブラシ装置を比較的小さいサイズで詰めることができる。
したがって、梱包に必要なものを飛躍的に減少させることにより、必要な梱包体積を最適な方法で制御し、約３００％の輸送費用を削減することが可能になる。
さらに、帯状部分を斜めに配置することにより、帯状部分の自然な広がる運動の向きが円筒状本体の軸に対して垂直でないので、上下方向への飛沫同伴効果が生じる。
上記の開示から、発明が計画された意図および目的を完全に達成することは明瞭である。
特に、帯状部分の傾斜配置は、機能性および製造の両方の見地から大きな利点を提供する。
開示された本発明はいくつかの修正および変更の余地があり、そのすべては発明の範囲内である。
さらに、構造上の詳細の全ては、他の技術的に等価な要素によって置き換えられることができる。
発明を実用化する際、使用される素材および、不確定のサイズや形状は、それらが意図された実用性に矛盾がない限りにおいて、条件に応じていずれであってもよい。
【図１】
2006508859.tif 000003
【図６】
2006508859.tif 000004
【図７】
2006508859.tif 000005
【図２】
2006508859.tif 000006
【図３】
2006508859.tif 000007
【図４】
2006508859.tif 000008
【図５】
2006508859.tif 000009
【手続補正書】
【提出日】平成16年1月23日(2004.1.23)
【手続補正１】
【補正対象書類名】特許請求の範囲
【補正対象項目名】全文
【補正方法】変更
【補正の内容】
【特許請求の範囲】
【請求項１】
自動車一般の自動洗浄装置の洗浄ブラシ部分で使用するための洗浄ブラシで、縦方向の中心軸および側部円筒状外面を有する円筒状本体を持ち、前記円筒状本体の外面上に洗浄帯状部分をしっかりと固定設置するため、前記円筒状本体の直径より短い分割されたシートが前記縦方向の中心軸に対して傾斜して設置されている洗浄ブラシで、前記円筒状本体は垂直であり、停止状態では帯状部分が隣の帯状部分に重なり下向きになることを特徴とする洗浄ブラシ。
【請求項２】
前記帯状部分は、前記円筒状本体に設置された前記シートに、先端をしっかりと固定された細長い長方形の平たい物体からなり、縦方向のスリットまたは切込みにより平たい平行な毛を持ち、前記洗浄用の毛は異なる長さを持つことを特徴とする、請求項１の洗浄ブラシ。
【請求項３】
前記帯状部分のストリップは異なる色を有し、前記色は完全な外転サイクロイドのパターンを持つことを特徴とする、先行する請求項の洗浄ブラシ。
【手続補正２】
【補正対象書類名】明細書
【補正対象項目名】０００４
【補正方法】変更
【補正の内容】
【０００４】
上述の図面において、本発明の洗浄ブラシ１０は、本質的には従来型である円筒状本体１１の側面に、複数の帯状部分１２を設置したものである。
特に、帯状部分１２は、独立気泡フォーム素材または連続気泡フォーム素材またはフェルト素材を使用した、プレートのような部品で作成されることが望ましい。
帯状部分１２は、縦方向に多くの切り込み１３を入れてできる、ストリップ１４からなり、洗浄ブラシの洗浄部材を構成する。
本発明の主たる特徴は、円筒状本体１１の側面に設置される帯状部分が、前記円筒状本体の軸方向に対して傾いていることである。
実際には、洗浄装置の数を増やさずに洗浄ブラシの毛に当たる部分の配置をよくするために帯状部分を合理的に配置するため、帯状部分の配置または設置位置は斜めにされる。
円筒状本体１１にブラシの毛を斜めに配置することにより、帯状部分を軸に平行の方向に配置された場合よりも長くすることができる。
各々の帯状部分が設置されるシートは、円筒状本体１１の外面上に好適に傾斜した角度で、分割して設置された、円筒状本体の直径より短いＵ形状のシートであるのが望ましく、特に、図５に示されるように、ストリップ１４または毛は、各々の帯状部分に縦方向に平行なスリットまたは切込みをいれることにより形成される。
好適な傾斜で配置した場合、帯状部分は平均２５％長くなる。
この点に関しては、傾斜の多少を変更することで、帯状部分をさらに長くする可能性もある。
傾斜配置された帯状部分は、軸に平行に、つまり洗浄される自動車の運動方向に垂直に配置された帯状部分より幅が広いため、材料の量は同じで、帯状部分の数はより小さくなる。
帯状部分の数が減るため、洗浄ブラシの部品をいかなる方法で作成し、いかなる方法で本体に設置する場合にも、作成および設置に必要な労働力を削減することができる。
さらに、斜めに配置することで、遠心力により生じる放射効果にもかかわらず、帯状部分およびその先端の洗浄ブラシのストリップ、または毛の方向を斜めに定めることが可能になる。
実際には、最高回転数が１１０回転／分以下である自動車の自動洗浄装置においては、帯状部分の配置を斜めにすることで、自然な方向に落下する帯状部分の自然の傾向は最適な方法で、前記帯状部分が生じうるスペースまたは隙間を「塞ぐ」ことを可能にする。
さらに、帯状部分に異なる色を着色することによって得られる色の螺旋は、外転サイクロイド・パターンに完全に配列される。
都合よく、各々の帯状部分は、実質的にＵ形状の円筒状本体１１の外面上に、結果的に対角線に分離されて収容される、各々が円筒状本体の直径より小さい長さを有するシート（訳注２）に係合され、特に、図５に示されるように、洗浄ストリップ１４または毛は、異なるスリットまたは切込みにより定義される、各々の帯状要素とともに縦方向に並列に配置される。
さらに、垂直の位置に配置された洗浄ブラシ装置おいて帯状部分を斜めに配置すると、停止状態には帯状部分が自然に少しずつずれて重なるため、整然と下向きになることを可能にし、このことにより梱包された状態の製品に損害を与えずに、ブラシ装置を比較的小さいサイズで詰めることができる。
したがって、梱包に必要なものを飛躍的に減少させることにより、必要な梱包体積を最適な方法で制御し、約３００％の輸送費用を削減することが可能になる。
さらに、帯状部分を斜めに配置することにより、帯状部分の自然な広がる運動の向きが円筒状本体の軸に対して垂直でないので、上下方向への飛沫同伴効果が生じる。
上記の開示から、発明が計画された意図および目的を完全に達成することは明瞭である。
特に、帯状部分の傾斜配置は、機能性および製造の両方の見地から大きな利点を提供する。
開示された本発明はいくつかの修正および変更の余地があり、そのすべては発明の範囲内である。
さらに、構造上の詳細の全ては、他の技術的に等価な要素によって置き換えられることができる。
発明を実用化する際、使用される素材および、不確定のサイズや形状は、それらが意図された実用性に矛盾がない限りにおいて、条件に応じていずれであってもよい。
【国際調査報告】
2006508859.tif 000010
2006508859.tif 000011
2006508859.tif 000012